(57)【特許請求の範囲】
【請求項１】
支持体上に固定される台座と、基端側において台座上に当該台座に対して垂直の縦軸により軸周り回転自在に支持される第１の支持部材と、第１の支持部材の先端側に縦軸と直交する横軸によって枢支される第２の支持部材と、第２の支持部材に組み込まれ第２の支持部材の前記横軸の周り方向の回転角度位置を調整するための調整部材と、第２の支持部材に固着され機器が取り付けられる機器取り付け部材とを具備する機器支持装置であって、
前記台座は、前記支持体上にねじ止めされる固定板部と、この固定板部と一体成形され当該固定板部との間に上方へ間隔を置いて当該固定板部と平行に配置され前記縦軸の周り方向に所定の相互間隔を置いて形成された複数のデテント孔を有する支持板部と、この支持板部に対面して縦軸により回転自在に支持される回転基板と、支持板部のデテント孔に係合するように回転基板上に固定されるボールプランジャと、回転基板上に上方からねじ止め固定される接続板とを具備し、
前記第１の支持部材は、基端側において前記接続板に固着され、前記横軸が貫通する軸受け部材を具備し、当該軸受け部材は横軸を中心とする円周に沿う半円柱状の係合曲面を有し、当該係合曲面は、前記横軸と平行な多数の等間隔の係合溝を有し、
前記第２の支持部材は、四角筒状の本体と、本体の対向側壁から下方へ延出し前記横軸に枢支されるブラケットとを具備し、
前記調整部材は、前記第２の支持部材の本体内にロック位置と非ロック位置との間を進退自在に支持されロック位置に付勢されるロック部材と、一端側のカム部において本体内に枢支され先端側が本体から揺動自在に突出しその回転角度によりロック部材をロック位置と非ロック位置との間で移動させる調整レバーと、を具備し、
前記ロック部材は、ロック位置において前記軸受け部材の係合溝に係合することによって、軸受け部材に対する前記第２の支持部材の横軸の周り方向の回転角度位置を定める係合歯を具備することを特徴とする機器支持装置。
【請求項２】
前記機器取り付け部材は、前記第２の支持部材の本体の回転方向の一方へ本体の軸線に対して直交方向に延出する取り付け板部を具備することを特徴とする請求項１に記載の機器支持装置。
【請求項３】
前記調整レバーのカム部は、調整レバーの揺動途上において前記ロック部材に対する付勢力のデッドポイントを超えて当該ロック部材をロック位置と非ロック位置へ択一的に移動させるようにロック部材に係合するカムピンを有することを特徴とする請求項１に記載の機器支持装置。
【発明の詳細な説明】
【技術分野】
【０００１】
本発明は、モニターその他の機器をユーザの要求する所定の位置に安定的に保持する装置に関する。
【背景技術】
【０００２】
従来、モニター等の機器をユーザの要求する所定の位置に保持するモニターアームとして、特許文献１に記載されたものが知られている。この装置は、ヒンジ装置を介して相互に角度調整自在に枢支された基端アーム、中間アーム、先端アームの３つのアームを備える。基端アームが支持部材に固定され、先端アームに台座プレートが連結される。台座プレートに機器が取り付けられる。ヒンジ装置は、アーム間を枢支する枢軸と、アーム相互間の角度を定める固定側及び可動側の位置決めガイドとを具備する。固定側位置決めガイドは、基端アームと先端アームの軸受け部の周りに、枢軸を中心とする周方向の歯車状の複数の係合溝を形成してなる。可動側位置決めガイドは、中間アームに設けられ、固定側位置決めガイドの係合溝に選択的に係合する係合爪と、これを操作するレバーとを具備する。レバーの操作で係合爪を係合溝に対して係合、離脱させることによって、中間アームに対する基端アーム及び先端アームの相互角度を設定する。台座プレートは、先端アームに対して中心軸の周りに回転自在に支持され、ねじを締めれば固定され、緩めれば回転させることができる。台座プレートの回転により、モニターを画面と平行面上で回転させ、任意の回転角度位置で固定することができる。
【先行技術文献】
【特許文献】
【０００３】
【特許文献１】特開２０１３−１９４４０号公報
【発明の概要】
【発明が解決しようとする課題】
【０００４】
上記従来の機器支持は、複数のアームの関節を角度調整自在にして、モニター等の機器の位置を所望の位置に保持し、またはモニターをその画面と平行な面上で回転させ、任意位置で固定するものであり、アームの軸周り回転位置の調整はできない。このため、機器の支持位置調整の自由度には制限がある。したがって、本発明は、アームの関節の角度のみならず、軸周りの位置も調整することができ、簡易な構成で、機器の支持位置調整の自由度がより大きな機器支持装置を提供することを目的としている。
【課題を解決するための手段】
【０００５】
以下、添付図面の符号を参照して説明するが、本発明はこれに限定されるものではない。
上記課題を解決するための、本発明の機器支持装置１は、例えば車両の内壁等の支持体Ｓ上に固定される台座２と、基端側において台座２上に、当該台座２に対して垂直の縦軸６により、それの軸周りに回転自在に支持される第１の支持部材３と、第１の支持部材３の先端側に縦軸６と直交する横軸７によって枢支される第２の支持部材４と、第２の支持部材４に組み込まれ第２の支持部材４の横軸７周りの回転角度位置を調整するための調整部材８と、第２の支持部材４に固着されモニター等の機器が取り付けられる機器取り付け部材５と、を具備する。
台座２は、支持体Ｓ上にねじ止めされる固定板部９と、この固定板部９と一体成形され当該固定板部９との間に上方へ間隔を置いて当該固定板部９と平行に配置され、縦軸６周りに所定の相互間隔を置いて形成された複数のデテント孔１０ａを有する支持板部１０と、この支持板部１０に対面して縦軸６により回転自在に支持される回転基板１１と、支持板部１０のデテント孔１０ａに係合するように回転基板１１上に固定されるボールプランジャ１２と、回転基板１１上に固定される接続板１３とを具備する。
第１の支持部材３は、基端側において接続板１３に固着され、横軸７が貫通する軸受け部材１５を具備し、当該軸受け部材１５は横軸７を中心とする円周に沿う半円柱状の係合曲面１８を有し、当該係合曲面１８は、横軸７と平行な多数の等間隔の係合溝１９を有する。
第２の支持部材４は、四角筒状の本体２０と、本体２０の対向側壁２０ａから基端側へ延出し横軸７に枢支されるブラケット２０ｂとを具備する。
調整部材８は、第２の支持部材４の本体２０内にロック位置と非ロック位置との間を進退自在に支持されロック位置に付勢されるロック部材２１と、一端側のカム部２５において本体２０内に枢支され先端側が本体２０から揺動自在に突出しその回転角度によりロック部材２１をロック位置と非ロック位置との間で移動させる調整レバー２２とを具備する。
【発明の効果】
【０００６】
本発明の機器支持装置１においては、第１の支持部材３が、台座２に対して垂直の縦軸６により軸周り回転自在に支持され、第１の支持部材３の基板１１上に固定されたボールプランジャ１２が、台座２の縦軸６周りに形成された複数のデテント孔１０ａに係合するように構成されるため、第１の支持部材３を、それの軸周りに、所定の回転角度毎に保持しながら、任意の位置へ容易に位置調整することができる。
【図面の簡単な説明】
【０００７】
【図１】本発明に係る機器支持装置の正面図である。
【図２】図１の機器支持装置の平面図である。
【図３】図１の機器支持装置の側面図である。
【図４】図１の機器支持装置の背面図である。
【図５】図１におけるＶ−Ｖ断面図である。
【図６】図３におけるＶＩ−ＶＩ断面図である。
【発明を実施するための形態】
【０００８】
図面を参照して本発明の実施の形態を説明する。
機器支持装置１は、例えば車両内に設置され、モニター等の機器を見やすい位置に適宜向きを変えて配置できるように支持するものであり、変向操作は容易であるが、走行中の振動によっては機器が容易に変向しない。
【０００９】
機器支持装置１は、基端側において車両の内壁等の支持体Ｓ上に固定される。図１ないし図６において、機器支持装置１は、台座２と、第１の支持部材３と、第２の支持部材４と、機器取り付け部材５とを具備する。台座２は、支持体Ｓ上に固定される。
第１の支持部材３は、基端側において台座２上に、当該台座２に対して垂直の縦軸６（図５）により軸周り回転自在に支持される。第２の支持部材４は、第１の支持部材３の上部側に縦軸６と直交する横軸７によって枢支される（図５，６）。調整部材８は、第２の支持部材４の横軸７周りの回転角度位置を調整するためのもので、第２支持部材４に組み込まれる（図５，６）。機器取り付け部材５は、第２の支持部材４に固着され、モニター等の機器が取り付けられる。
【００１０】
図５，６に示すように、台座２は、固定板部９と支持板部１０とからなる台座本体と、回転基板１１と、ボールプランジャ１２と、接続板１３とを具備する。固定板部９は、平面視概略矩形板状で、支持体Ｓ上にねじ止めされる。支持板部１０は、固定板部９と一体に形成され、固定板部９との間に上方へ間隔を置いて固定板部９と平行に配置され、縦軸６の周りの円周上に所定の相互間隔（例えば１５°）を置いて形成された複数のデテント孔１０ａを有する。回転基板１１は、支持板部１０上に対面して、縦軸６により回転自在に支持される。ボールプランジャ１２は、支持板部１０のデテント孔１０ａに係合するように回転基板１１上に固定される。接続板１３は、回転基板１１上に上方からねじ１４で固定される。
【００１１】
第１の支持部材３は、基端側において接続板１３に固着される軸受け部材１５を具備する。軸受け部材１５は、一端側に平坦な取り付け面１６を有する。図５に示すように、取り付け面１６側には、縦軸６の上端部を受け入れる凹部１７が形成される。軸受け部材１５には、横軸７が貫通する。軸受け部材１５は、取り付け面１６と反対側に、横軸７を中心とする円周に沿う半円柱状の係合曲面１８を具備し、この係合曲面１８には横軸７と平行な多数の等間隔の係合溝１９が形成される。
【００１２】
第２の支持部材４は、四角筒状の本体２０と、本体２０の対向側壁２０ａから基端側へ延出するブラケット２０ｂとを具備し、基端側において横軸７に枢支される。
【００１３】
調整部材８は、ロック部材２１とこれを操作する調整レバー２２とを具備する。ロック部材２１は、第２の支持部材３の本体２０内に、ロック位置と非ロック位置との間を進退自在に支持され、ばね２３でロック位置に付勢される。ロック部材２１は、一端側に係合歯２４を具備する。ロック位置において係合歯２４が軸受け部材１５の係合溝１９に係合することによって、第１の支持部材３に対する第２の支持部材４の横軸７周りの相対回転角度位置を定める。
【００１４】
調整レバー２２は、基端側のカム部２５において枢ピン２６で本体２０に枢支され、先端側が本体２０から揺動自在に突出する。調整レバー２２を揺動操作することにより、第１の支持部材３に対する第２の支持部材４相対回転角度を変更し、適宜角度で固定することができる。カム部２５には、カムピン２７が設けられる。カムピン２７は、ロック部材２１に対するばね２３の付勢力のデッドポイントを超えて、当該ロック部材２１をロック位置と非ロック位置へ択一的に移動させるようにロック部材２１に係合する。
【００１５】
機器取り付け部材５は、取り付け板部２６を具備する。取り付け板部２６は、第２の支持部材４の本体２０における横軸７周りの回転方向の一方へ、本体２０の軸線に対して直交方向に延出する。取り付け板部２６にモニター等の機器が固着される。
【００１６】
したがって、モニター等の機器は、第１の支持部材３を、ボールプランジャ１２がデテント孔１０ａに係合する角度毎に縦軸６周りに回転調整することにより、角度変更可能であり、また第２の支持部材４を、横軸７周りに調整部材７によって回転調整することにより、角度変更可能である。
【符号の説明】
【００１７】
１      機器支持装置
２      台座
３      第１の支持部材
４      第２の支持部材
５      機器取り付け部材
６      縦軸
７      横軸
８      調整部材
９      固定板部
１０    支持板部
１０ａ  デテント孔
１１    回転基板
１２    ボールプランジャ
１３    接続板
１４    ねじ
１５    軸受け部材
１６    取り付け面
１７    凹部
１８    係合曲面
１９    係合溝
２０    支持部材の本体
２０ａ  側壁
２０ｂ  ブラケット
２１    ロック部材
２２    調整レバー
２３    ばね
２４    係合歯
２５    カム部
２６    取り付け板部
Ｓ      支持体
【図１】
0006047625.tif 000002
【図２】
0006047625.tif 000003
【図３】
0006047625.tif 000004
【図４】
0006047625.tif 000005
【図５】
0006047625.tif 000006
【図６】
0006047625.tif 000007